(57)【特許請求の範囲】
【請求項１】
短辺及び長辺からなる矩形をなす水平のフレームと、このフレームの頭部側及び足部側の前記短辺に取り付けられた夫々ヘッドボード及びフットボードと、前記フレームの側部の前記長辺に取り付けられた側柵と、を有するベッドに使用されるベッド用ボードカバーにおいて、前記ヘッドボード及び／又は前記フットボードの夫々対向面に取り付けられる板状の基部と、この基部の前記側柵側の両側縁から夫々前記側柵まで延出するように形成された延出部と、前記基部の上縁の少なくとも一部と前記延出部の上縁の少なくとも一部との間に架設された上側平面部と、前記基部の下縁の少なくとも一部と前記延出部の下縁の少なくとも一部との間に架設された下側平面部と、を有し、前記上側平面部は、前記ヘッドボード及び／又は前記フットボードよりも高くなる位置に設けられていることを特徴とするベッド用ボードカバー。
【請求項２】
前記基部、前記延出部、前記上側平面部及び前記下側平面部は、１枚のダンボールプラスチックの展開図から組み立てられたものであることを特徴とする請求項１に記載のベッド用ボードカバー。
【請求項３】
前記基部の展開図と、前記延出部、前記上側平面部及び前記下側平面部の展開図とは、相互に別体のダンボールプラスチックにより構成されていることを特徴とする請求項１に記載のベッド用ボードカバー。
【請求項４】
前記基部、前記延出部及び前記平面部は、展開図から折り曲げられたときに、夫々厚さ方向に前記ダンボールプラスチックが３枚以上重ならないように折り曲げられて組み立てられていることを特徴とする請求項２又は３に記載のベッド用ボードカバー。
【請求項５】
前記基部及び前記延出部は、展開図から折り曲げられたときに、全面がその厚さ方向に２枚のダンボールプラスチックが重なり合うように折り曲げられて組み立てられていることを特徴とする請求項４に記載のベッド用ボードカバー。
【請求項６】
前記基部及び前記延出部は、展開図から折り曲げられたときに、前記ダンボールプラスチックの縁部が前記ベッドの内側に露出しないように折り曲げられて組み立てられていることを特徴とする請求項２乃至５のいずれか１項に記載のベッド用ボードカバー。
【請求項７】
前記上側平面部及び前記下側平面部は、前記ベッドの内側に露出する縁部が鋭利にならないように端縁処理されていることを特徴とする請求項２乃至６のいずれか１項に記載のベッド用ボードカバー。
【発明の詳細な説明】
【技術分野】
【０００１】
本発明は、ベッドのヘッドボード及び／又はフットボードに取り付けられ、夫々ヘッドボード及び／又はフットボードと側柵との間の隙間を覆うことにより、この隙間への手足及び首等の挿入を防止するベッド用ボードカバーに関する。
【背景技術】
【０００２】
従来、医療用及び介護用のベッドには、サイドフレームに側柵（サイドレールとも称する）を設置し、ベッド上の使用者がベッドから転落することを防止することが行われている。図６は、従来の側柵を設置したベッドを一例として示す図である。図６に示すベッド２には、ヘッドボード２１とフットボード２２とが、フレーム２０の長手方向の頭部側及び足部側の夫々端部に固定されており、フレーム２０の両側部のサイドフレームには、夫々側柵２３が設置されている。このように、側柵２３が設置されたベッド２においては、図６に示すように、ヘッドボード２１と頭部側の側柵２３との間の領域Ａ、及び脚部側の側柵２３とフットボード２２との間の領域Ｂに隙間が形成されている。
【０００３】
図６に示すような従来の側柵付きのベッドにおいては、上記ヘッドボード２１及びフットボード２２と側柵２３とにより形成される領域Ａ及びＢの隙間が人の手首、足首及び首の太さに比して大きく、この隙間にベッド使用者等が手足又は首等を挿入することが容易である。近時、医療用及び介護用のベッドとしては、例えばベッド使用者が横たわるボトムをフレーム２０に対して傾動可能に構成されたものが使用されるようになってきたが、上記のような領域Ａ及びＢの隙間にベッド使用者等が手足又は首等を挿入した状態で背上げ等のベッドの動作を行うと、手足又は首等を挟む虞がある。また、背上げ等したベッド上で、ベッド使用者がバランスを崩した際に、領域Ａ及びＢの隙間に手足又は首等を挟む虞もある。
【０００４】
本願出願人は、例えば特許文献１において、側柵のボード側上端のコーナー部に取り付ける補助具を提案した。そして、側柵の上端のコーナー部を、曲率半径が小さくなるような補助具によって覆うことにより、隙間の部分に手足等が容易に入り込むことを防止する技術を提案した。しかし、この特許文献１の補助具は、図６のような領域Ａ及びＢの隙間を狭めるものではなく、従って、隙間への手足及び首等の挟み込みを完全に防止することは難しい。
【０００５】
ヘッドボード２１及びフットボード２２と側柵２３とにより形成される領域Ａ及びＢの隙間を狭めるための技術としては、例えば本願出願人が提案した特許文献２乃至４の技術が挙げられる。特許文献２に提案されたスペーサは、ヘッドボード及び／又はフットボードが矩形であると共に、ボードと側柵との高さがほぼ同一である場合に好適に使用されるものであり、ボードの上部と側柵の上部とを連結するように半円等形状の部材を直角に屈曲させて形成されたものである。この特許文献２のスペーサにおいては、ボードに孔を設け、スペーサの支持棒体をボードの孔に差し込むように構成している。また、特許文献３及び４の技術においては、ボードの側部に側柵を支持させる支持体を新たに設け、この支持体の上部に側柵の縁部を固定している。
【０００６】
この他にも、ヘッドボード２１及びフットボード２２と側柵２３とにより形成される領域Ａ及びＢの隙間を狭めるためには、例えば図７に示すように、ボード２１，２２の側部に例えば側柵２３側に突出するようなスペーサ３を設置することが考えられる。即ち、例えば図７（ｂ）に示すヘッドボード２１（又はフットボード２２）においては、側柵２３側のボード面の上部に溝２１ａが形成されており、この溝２１ａに例えばゴム製のスペーサ３１の嵌合部３１ａが嵌合されている。そして、側柵２３側のボード面からスペーサ３１の突出部３１ｂが突出することにより、側柵２３との間の隙間を狭めている。又は、図７（ｃ）に示すように、例えばボード２１，２２に溝２１ａが形成されていない場合は、例えばゴム製のスペーサ３２をボード２１，２２に貼り付けて、側柵２３との隙間を狭めている。
【０００７】
上記特許文献１乃至４の他にも、近時、在宅用電動介護用ベッド及び病院用ベッドの安全性についてのＪＩＳ規格（非特許文献１，２）が改正となり、ボード２１，２２と側柵２３との間の隙間についての規定が明記され、ベッドの安全性を確保することが試みられている。
【先行技術文献】
【特許文献】
【０００８】
【特許文献１】特開２００５−１５２０５７号公報
【特許文献２】特開２０１０−６９１７９号公報
【特許文献３】特開２０１０−６９１８０号公報
【特許文献４】特開２０１０−６９１８１号公報
【非特許文献】
【０００９】
【非特許文献１】ＪＩＳ  Ｔ９２０５（規格名称：病院用ベッド）、１９８３年６月１日制定、２００９年３月２０日改正
【非特許文献２】ＪＩＳ  Ｔ９２５４（規格名称：在宅用電動介護用ベッド）、２００５年１１月２１日制定、２００９年３月２０日改正
【発明の概要】
【発明が解決しようとする課題】
【００１０】
上記特許文献２のスペーサは、ヘッドボード及び／又はフットボードが矩形であると共に、ボードと側柵との高さがほぼ同一である場合に好適に使用されるものであり、例えば、ボードの両端がその上部に隙間を有する形状に形成されている場合（図８（ａ）、図８（ｃ）におけるボード２１０，２１２）、ボードの高さが側柵２３に比して高い場合（図８（ｂ）におけるボード２１１）においては、使用することができない。また、特許文献２のスペーサは、その設置のために、新たにボードの上部に孔を設ける必要があり、設置が煩雑である。特に、図８（ｃ）に示すようにボード２１２の枠部が金属製である場合においては、スペーサの係止孔を設置する作業は困難である。
【００１１】
近時販売されているベッド及び側柵は、上記改正後のＪＩＳ規格を満足するように設計されており、ボード２１，２２及び側柵２３間に形成される隙間は、従来よりも小さく設計されている。しかしながら、市場には、改正前のＪＩＳ規格に準じて設計されたベッド及び側柵、並びにＪＩＳ規格が制定される前のベッド及び側柵が多数存在しており、現在もなお使用されている。これらの旧来のベッド及び側柵を改正後のＪＩＳ規格を満足するものに置き換えることは、ユーザーにとっては多大のコスト負担がかかり、また、多大な時間も要する。従って、旧来のベッド及び側柵において、改正後のＪＩＳ規格を満足させるための技術の開発が望まれている。
【００１２】
本発明はかかる問題点に鑑みてなされたものであって、従来のベッドのボードに容易に取り付けられるベッド用ボードカバーを提供することを目的とする。
【課題を解決するための手段】
【００１３】
本発明に係るベッド用ボードカバーは、短辺及び長辺からなる矩形をなす水平のフレームと、このフレームの頭部側及び足部側の前記短辺に取り付けられた夫々ヘッドボード及びフットボードと、前記フレームの側部の前記長辺に取り付けられた側柵と、を有するベッドに使用されるベッド用ボードカバーにおいて、前記ヘッドボード及び／又は前記フットボードの夫々対向面に取り付けられる板状の基部と、この基部の前記側柵側の両側縁から夫々前記側柵まで延出するように形成された延出部と、前記基部の上縁の少なくとも一部と前記延出部の上縁の少なくとも一部との間に架設された上側平面部と、前記基部の下縁の少なくとも一部と前記延出部の下縁の少なくとも一部との間に架設された下側平面部と、を有し、前記上側平面部は、前記ヘッドボード及び／又は前記フットボードよりも高くなる位置に設けられていることを特徴とする。
【００１４】
本発明に係るベッド用ボードカバーにおいて、例えば前記基部、前記延出部、前記上側平面部及び前記下側平面部は、１枚のダンボールプラスチックの展開図から組み立てられたものである。
【００１５】
又は、ベッド用ボードカバーは、前記基部、前記延出部、前記上側平面部及び前記下側平面部の展開図は、各部分に対応する複数枚のダンボールプラスチックにより構成されている。この場合に、例えば前記基部の展開図と、前記延出部、前記上側平面部及び前記下側平面部の展開図とは、相互に別体のダンボールプラスチックにより構成されている。
【００１６】
上述のベッド用ボードカバーにおいて、例えば、前記基部、前記延出部及び前記平面部は、展開図から折り曲げられたときに、夫々厚さ方向に前記ダンボールプラスチックが３枚以上重ならないように折り曲げられて組み立てられていることが好ましい。この場合に、例えば前記基部及び前記延出部は、展開図から折り曲げられたときに、全面がその厚さ方向に２枚のダンボールプラスチックが重なり合うように折り曲げられて組み立てられている。
【００１７】
前記基部及び前記延出部は、展開図から折り曲げられたときに、前記ダンボールプラスチックの縁部が前記ベッドの内側に露出しないように折り曲げられて組み立てられていることが好ましく、前記上側平面部及び前記下側平面部は、前記ベッドの内側に露出する縁部が鋭利にならないように端縁処理されていることが好ましい。
【発明の効果】
【００１８】
本発明に係るベッド用ボードカバーは、板状の基部がヘッドボード及び／又はフットボードの夫々対向面に取り付けられ、基部の上縁と延出部の上縁との間に架設された上側平面部は、ヘッドボード及び／又はフットボードよりも高くなる位置に設けられている。よって、ボードの大きさ又は形状によらず既存のベッドに容易に取り付けることができる。また、本発明のボードカバーは、基部の側柵側の両側縁から側柵まで延出する延出部が形成されており、延出部により、ボードと側柵との間に形成された隙間を覆うことができる。
【００１９】
そして、基部の上縁の少なくとも一部と延出部の上縁の少なくとも一部との間に架設された上側平面部、及び基部の下縁の少なくとも一部と延出部の下縁の少なくとも一部との間に架設された下側平面部により、ベッド用ボードカバーの強度を高く確保することができる。
【図面の簡単な説明】
【００２０】
【図１】本発明の第１実施形態に係るベッド用ボードカバーをベッドに取り付けた状態を示す斜視図であり、図１（ａ）はベッドの内側から見た図、図１（ｂ）はベッドの外側から見た図である。
【図２】本発明の第１実施形態に係るベッド用ボードカバーの展開図である。
【図３】（ａ）乃至（ｃ）は、本発明の第１実施形態に係るベッド用ボードカバーにおいて、延出部及び上側平面部を組み立てる工程の一部をその工程順に示す図である。
【図４】本発明の第１実施形態に係るベッド用ボードカバーにおいて、ダンボールプラスチックの合わせ目を示す図である。
【図５】本発明の第２実施形態に係るベッド用ボードカバーの展開図である。
【図６】従来の側柵付きのベッドを示す側面図である。
【図７】（ａ）乃至（ｃ）は、ベッドのボードに取り付けるスペーサを示す図である。
【図８】（ａ）乃至（ｃ）は、従来の側柵付きベッドにおける種々のボード形状を示す図である。
【発明を実施するための形態】
【００２１】
本願発明者等は、旧来のベッド及び側柵において、改正後のＪＩＳ規格を満足させるための技術を種々検討し、本発明のベッド用ボードカバーを開発するに至った。即ち、旧来の種々のベッド及び側柵の組み合わせにおいても、本発明のベッド用ボードカバーを取り付けることにより、ヘッドボード及び／又はフットボードと側柵との間に形成される隙間を覆うことができ、隙間への手足及び首等の挟み込みを防止することができる。
【００２２】
以下、本発明の実施形態に係るベッド用ボードカバーについて、添付の図面を参照して具体的に説明する。図１は本発明の第１実施形態に係るベッド用ボードカバーをベッドに取り付けた状態を示す斜視図であり、図１（ａ）はベッドの内側から見た図、図１（ｂ）はベッドの外側から見た図である。図１に示すように、本発明のベッド用ボードカバー１は、図６及び図８に示すような従来のベッド２に取り付けられるものである。即ち、ベッド２には、ヘッドボード２１とフットボード２２とが、水平のフレーム２０の長手方向の頭部側及び足部側の夫々端部に固定されている。ヘッドボード２１及びフットボード２２は、例えば平板状に形成されたものであるか、又は金属製若しくは樹脂製の複数本のパイプを連結することにより形成されたものであり、これらがフレーム２０の長手方向の夫々端部に固定されることにより、ベッド２の前後からの利用者の転落を防止している。本実施形態においては、図１（ｂ）に示すように、ベッドのボード２１，２２は、上方の幅が下方よりも狭く、枠体の側縁部は上方から下方へと傾斜して設けられている。そして、ボード２１，２２下部の最も幅広の部分は、その幅がフレーム２０と等しいか、又はフレーム２０よりも若干小さく形成されている。枠体の内側には、例えば木製の平板が取り付けられており、枠体と平板との間には、所定の隙間が形成されている。従って、本実施形態のボード２１，２２においては、例えば図７に示すような従来のスペーサを取り付けることができない。フレーム２０の両側部のサイドフレームには、夫々複数個の転落防止用の側柵２３が２個設置されており、ベッド２の左右からの利用者の転落を防止している。この側柵２３は、例えば平板状に形成されているか、又は金属製若しくは樹脂製の複数本のパイプが連結されたものである。本実施形態においては、複数本のパイプを連結することにより形成された側柵２３が、フレームの夫々の側部に取り付けられている。側柵２３は、枠状に曲成された１本以上のパイプ及びその中央の隙間に配置されて枠体部分を補強する複数本のパイプと、これを支持するようにフレームに固定された２本の支持パイプと、により構成されている。
【００２３】
このような側柵２３が設置されたベッド２においては、図６に示すように、ヘッドボード２１と頭部側の側柵２３との間の領域Ａ、及び脚部側の側柵２３とフットボード２２との間の領域Ｂに隙間が形成されている。図１に示すように、本発明のベッド用ボードカバー１は、基部１ａがヘッドボード２１及び／又はフットボード２２の夫々対向面に取り付けられる。そして、基部１ａの側柵２３側の両側縁から延出するように形成された延出部１ｂにより領域Ａ及びＢの隙間を覆う。
【００２４】
本実施形態においては、各ベッド用ボードカバー１は、図１に示すように、ボード２１，２２の夫々対峙面に取り付けられる板状の基部１ａと、基部１ａの側柵２３側の両側縁から夫々側柵の位置まで延出するように形成された延出部１ｂと、基部１ａの上縁と延出部１ｂの上縁との間に架設された上側平面部１ｃと、基部１ａの下縁と延出部１ｂの下縁との間に架設された下側平面部１ｄと、により構成されている。そして、ボードカバー１は、基部１ａの裏面に設けられた例えば複数本のポリエステル又はレーヨン等からなる紐１ｅにより、ボード２１，２２の対向面に、夫々その高さ方向及び幅方向に結びつけられて固定されている。
【００２５】
基部１ａは、例えば図８に示すようなボード２１０乃至２１２よりも大きい高さ及び幅を有しており、いずれのボードに取りつけた場合においても、その上縁部はボードよりも高い位置となるように構成されている。従って、ボード２１，２２の両端が例えば図８（ａ），図８（ｃ）に示すような隙間を有する場合、及びボード２１，２２の高さが例えば図８（ｃ）に示すように側柵２３に比して高い場合においても、基部１ａの上縁部は、ボード２１，２２よりも高い位置に突出して配置される。また、本実施形態のように、例えばボード２１，２２の枠体部分が金属製である場合においても、基部１ａを例えば紐によりボード２１に結びつけて固定することにより、容易に既存のボード２１，２２に固定することができる。なお、基部１ａの幅は、フレーム２０とほぼ等しいか、又は若干フレーム２０よりも大きい。従って、ボード２１，２２に基部１ａを取り付けたときに、基部１ａの両側縁は、フレーム２０の両側部の上方、又はフレーム２０よりも若干外側に配置される。
【００２６】
基部１ａの両側縁から延出している延出部１ｂは、その高さが例えば基部１ａと等しく、従って、その上縁部はボード２１，２２よりも高い位置に配置される。また、基部１ａをボード２１，２２に取り付けたときに、延出部１ｂの夫々は、フレーム２０の両側面の上方に位置するか、フレーム２０よりも若干外方に突出した位置となる。本発明においては、延出部１ｂは、側柵２３のボード側の側縁部の少なくとも一部を覆う長さで延出するように形成されている。図６に示すような従来のボード２１，２２と側柵２３との間の領域Ａ及びＢの隙間は、例えば４９乃至５３ｍｍであるが、本発明においては、例えば延出部１ｂの延出長さは、例えば６０乃至７０ｍｍである。これにより、延出部１ｂにより、ボード２１，２２と側柵２３との隙間を十分に覆うことができる。
【００２７】
図１（ａ）に示すように、上側平面部１ｃ、下側平面部１ｄは、夫々板状に形成されており、基部１ａの上縁と延出部１ｂの上縁との間、及び基部１ａの下縁と延出部１ｂの下縁との間に夫々架設されている。本実施形態においては、上側平面部１ｃは、基部１ａ側と延出部１ｂ側とに夫々１辺を有する直角三角形状に形成されており、下側平面部１ｄは、基部１ａ側と延出部１ｂ側とに夫々１辺を有する直角三角形を基部１ａ側で一部切り欠いた形状に形成されている。そして、上側平面部１ｃと下側平面部１ｄとが互いに向かい合うように形成されており、この１対の平面部１ｃ，１ｄ間に側柵２３の縁部が配置される。そして、下側平面部１ｄは、下面がフレーム２０上か、又はボード２１，２２をフレーム２０に連結している部材の上に載置される。即ち、本実施形態においては、ボード２１，２２に取り付けたボードカバー１の基部１ａ、延出部１ｂ及び１対の平面部１ｃ，１ｄにより、側柵２３のボード２１，２２側の側縁をその上方、下方、ボード側及び外方から取り囲むように構成されている。そして、本実施形態のように、上側平面部１ｃ及び下側平面部１ｄが基部１ａ及び延出部１ｂの双方に対して垂直に形成されていることにより、ボードカバー１の強度を向上させている。なお、本実施形態の平面部１ｃ，１ｄの形状は、一例であり、本発明のボードカバー１は、平面部１ｃ，１ｄの形状により限定されるものではない。
【００２８】
本実施形態においては、ボードカバー１は、図２に示すような１枚のダンボールプラスチック１０が折り曲げられて組み立てられることにより、基部１ａ、延出部１ｂ、上側平面部１ｃ及び下側平面部１ｄが組み立てられている。即ち、図２に示すように、ダンボールプラスチック板１０は、基部１ａとなる面１０ａ乃至１０ｃと、延出部１ｂとなる面１０ｄ及び１０ｅと、上側平面部１ｃとなる面１０ｇと、下側平面部１ｄとなる面１０ｉと、接着面１０ｆ，１０ｈ，１０ｊと、により構成されており、図２に破線及び一点鎖線で示すような折り線で折り曲げ、少なくとも接着面１０ｆ，１０ｈ，１０ｊを合わせ面に接着することにより、本実施形態のような立体形状のボードカバー１を形成することができる。
【００２９】
図３に示すように、各接着面の接着においては、各接着面１０ｆ，１０ｈ，１０ｊが互いに重なり合わないような形状で形成されており、また、各接着面同士が互いにその縁部で隣接するように形成されていることが好ましい。即ち、本実施形態においては、図２に示す展開図において、基部１ａとなる面のうち、折り返し面となる面１０ｂ及び１０ｃが互いに隣接するように面１０ｂと面１０ｃの縦方向の寸法の和が、面１０ａの寸法と等しくなる大きさで形成されており、また、接着面１０ｆ，１０ｈ，１０ｊは、図３（ａ）乃至図３（ｃ）に示すように、折り返し面１０ｂ及び１０ｄの幅方向の側部に隣接するように、また、相互間が隣接するように折り返されて、面１０ａに接着される。これにより、本実施形態においては、図２に示すような展開図から組み立てられたときに、基部１ａの表面には、ダンボールプラスチックの縁部は露出しておらず、図４に示すように、各折り返し面の合わせ目１００だけが基部１ａの裏面に露出した状態となる。また、基部１ａの裏面の全面に隙間が形成されないように折り曲げられて組み立てられ、基部１ａは、全面がその厚さ方向に２枚のダンボールプラスチックが重なり合った構造となる。そして、これらの合わせ目１００上に例えばテープ等を貼り付けることにより、ダンボールプラスチックの縁部は、基部１ａの裏面に露出することはなく、ボードカバー１を例えば縁部が若干鋭利な材質により構成した場合においても、その縁部に人が接触することはなく、安全に取り扱うことができる。
【００３０】
本実施形態においては、図２に示すようなダンボールプラスチック板１０が折り曲げられて、各合わせ面同士が接着されると、上側平面部１ｃ及び下側平面部１ｄとなる面１０ｇ，１０ｉの縁部の一部がベッドの内側に露出することになるが、この場合には、縁部が鋭利にならないように端縁処理されていることが好ましい。例えば、縁部に柔軟性を有する部材、例えば綿テープ等を貼り付けたり、例えば加熱による縁部の平滑化処理を施すことが好ましい。これにより、ベッドの内側に露出した縁部に人が接触した場合においても、ボードカバー１により傷つくことを防止することができる。
【００３１】
このように、本実施形態においては、ボードカバー１を安価なダンボールプラスチックにより低コストで形成することができ、また、ボード２１，２２と側柵２３との間の隙間を延出部１ｂにより確実に覆うことができる。そして、板状の基部１ａがヘッドボード２１及び／又はフットボード２２の夫々対向面に取り付けられ、基部１ａの上縁と延出部１ｂの上縁との間に架設された上側平面部１ｃは、ヘッドボード２１及び／又はフットボード２２よりも高くなる位置に設けられている。よって、本実施形態のボードカバー１は、ボードの大きさ又は形状によらず、ボード２１，２２に容易に取り付けることができる。
【００３２】
また、上側平面部１ｃ及び下側平面部１ｄを基部１ａ及び延出部１ｂの双方に対して垂直となるように設け、ボードカバー１を立体形状に構成することにより、ボードカバー１の強度を高く確保することができる。
【００３３】
次に、本実施形態のボードカバー１の組み立て方の一例について説明する。先ず、図２に示すダンボールプラスチック板１０において、基部１ａとなる面１０ａに対して、面１０ａと面１０ｂ，１０ｃとの境界線を（図２における紙面前方に）谷折りし、面１０ａと、面１０ｂ及び１０ｃとを貼り合わせる。このとき、面１０ｂと面１０ｃの縦方向の寸法の和は、面１０ａの寸法と等しいため、折り返した面１０ｂと面１０ｃとが互いに重なり合うことなく、双方の縁部が互いに隣接する。次に、面１０ａと面１０ｄとが直角をなすように、面１０ａに対して、面１０ａと面１０ｄとの境界線を（図２における紙面後方に）山折りする。その後、面１０ｄと面１０ｅとの境界線を谷折りして、面１０ｄと面１０ｅとを貼り合わせる。このとき、面１０ｄの幅と面１０ｅの幅とが等しく、互いに全面を貼り合わせる。これにより、ダンボールプラスチック板１０は、図３（ａ）に示す状態となる。
【００３４】
次に、面１０ｅと面１０ｆとの境界線を折り曲げて、面１０ｆを面１０ａに貼り合わせる。これにより、図３（ｂ）に示すように、面１０ｆと面１０ｂとがその縁部で互いに隣接する。面１０ｆの下方においては、面１０ｆと面１０ｃとがその縁部で互いに隣接する。また、面１０ｄと面１０ｇとの境界線を直角に内側に折り曲げることにより、面１０ｇと面１０ｈとの境界線は面１０ａの上縁部に接触するように配置される。そして、面１０ｇと面１０ｈとの境界線を直角に折り曲げることにより、面１０ｈを面１０ａの裏面に貼り合わせる。これにより、面１０ａの裏面上方の面１０ｂと面１０ｆとの間に形成された隙間に面１０ｈが収容され、図３（ｃ）に示すように、各折り返し面同士の縁部が互いに隣接するように配置される。同様に、面１０ｄと面１０ｉとの境界線を直角に内側に折り曲げることにより、面１０ｉと面１０ｊとの境界線は、面１０ａの下側の縁部に接触するように配置され、面１０ｉと面１０ｊとの境界線を直角に折り曲げて面１０ｊを面１０ａの裏面下方の面１０ｃと面１０ｆとの間の隙間に収容することにより、各折り返し面同士の縁部を互いに隣接するように配置する。以上により、図２に示すダンボールプラスチック板１０は、図４に示すようなボードカバー１に組み立てられ、各折り返し面の合わせ目１００だけが露出した状態となり、基部１ａの裏面の全面に隙間が形成されないように、基部１ａ及び延出部１ｃは、全面がその厚さ方向に２枚のダンボールプラスチックが重ね合わせられた構造になる。そして、合わせ目１００上に例えばテープ等を貼り付けることにより、ダンボールプラスチックの縁部を覆う。これにより、ボードカバー１を例えば縁部が若干鋭利な材質により構成した場合においても、その縁部に人が接触することはなく、安全に取り扱うことができる。
【００３５】
また、本実施形態においては、上側平面部１ｃとなる面１０ｇ及び下側平面部１０ｄとなる面１０ｉの縁部の一部は、ベッドの内側に露出するように折り曲げられるが、この縁部に柔軟性を有する部材、例えば綿テープ等を貼り付けたり、熱処理による端縁処理を施す。その他の露出した縁部にも同様の端縁処理を行う。これにより、ベッドの内側に露出した縁部に人が接触した場合においても、ボードカバー１により傷つくことを防止することができる。
【００３６】
最後に、ボードカバー１の裏面に、ボード２１，２２への固定用の部材、例えばポリエステル又はレーヨン等からなる紐１ｅを複数本取り付ける。これにより、図１に示すようなボードカバー１が組み立てられる。
【００３７】
次に、本実施形態のベッド用ボードカバー１の動作について説明する。上記のように組み立てられたボードカバー１をベッドに取り付ける際には、ボードカバー１を下側平面部１ｄからボード２１，２２と側柵２３との間の隙間に挿入していき、ボードカバー１の位置をその幅方向に調整し、図１（ａ）に示すように、下側平面部１ｄをフレーム２０上か、又はボード２１，２２をフレーム２０に連結している部材上に載置する。これにより、ボード２１，２２のフレーム２０よりも上方の部分は、基部１ａにより覆われる。次に、図１（ｂ）に示すように、ボードカバー１の裏面の紐１ｅをボード２１，２２の高さ方向及び幅方向に結びつけて、基部１ａをボード２１，２２に固定する。これにより、ボードカバー１の上側平面部１ｃは、ボード２１，２２よりも高い位置に配置される。
【００３８】
このように、本実施形態のボードカバー１は、ボード２１，２２の下方が上方よりも幅広な場合等、図７に示すようなスペーサを取りつけられない従来のボード２１，２２においても、ボードの大きさ又は形状によらず容易に取り付けることができる。ボードカバー１の固定の際には、作業者等が基部１ａの裏面に接触する場合が考えられるが、本実施形態においては、基部１ａの裏面には、ダンボールプラスチックの縁部は露出しないように構成されている。従って、ボードカバー１を例えば縁部が若干鋭利な材質により構成した場合においても、その縁部に人が接触することはなく、安全に取り扱うことができる。又は、本実施形態においては、上側平面部１ｃとなる面１０ｇ及び下側平面部１ｄとなる面１０ｉの縁部の一部は、ベッドの内側に露出することになるが、これらの縁部には、例えば綿テープ等が貼り付けられたり、例えば熱処理等の端縁処理が施されている。従って、ベッドの内側に露出した縁部に人が接触した場合においても、ボードカバー１により傷つくことを防止することができる。
【００３９】
ボード２１，２２への基部１ａの固定により、基部１ａの両側縁から延出するように形成された延出部１ｂは、側柵２３の縁部の一部を覆うように配置される。これにより、本実施形態のボードカバー１により、ボード２１，２２と側柵２３との間の隙間を延出部１ｃにより確実に覆うことができ、この隙間への手足及び首等の挿入を防止し、ベッドの安全性を十分に確保することができる。
【００４０】
なお、縁部が鋭利でない材質によりボードカバー１を構成する場合においては、本実施形態のように、ボードカバー１の各部分を重ね合わせ構造にしたり、各折り返し面の縁部を互いに隣接するように構成したり、縁部に綿テープを貼り付けたりする縁部処理を行わなくてもよい。
【００４１】
また、本実施形態においては、基部１ａのボード２１，２２への固定を複数本の紐１ｅにより行っているが、本発明においては、基部１ａのボードへの固定は紐１ｅによるものでなくてもよく、例えば、基部１ａをボード２１，２２との接触面に接着することにより固定してもよい。
【００４２】
次に、本発明の第２実施形態に係るベッド用ボードカバーについて説明する。図５は、本発明の第２実施形態に係るベッド用ボードカバーの展開図である。第１実施形態においては、１枚のダンボールプラスチックを折り曲げ、各合わせ面同士を接着することにより、ボードカバー１を形成したが、本実施形態においては、ボードカバー１は、図５に示すように、基部１ａとなる部分の展開図と、延出部１ｂ、上側平面部１ｃ及び下側平面部１ｄとなる部分の展開図とが、相互に別体のダンボールプラスチック板１１により構成されている。なお、図５における各面１１ａ乃至１１ｉは、第１実施形態の図２における面１０ａ乃至１０ｉに夫々対応している。
【００４３】
図６乃至図８に示すような従来のベッド２においては、ボトム幅が例えば７８０ｍｍ、８３０ｍｍ及び９１０ｍｍのものが多く使用されている。そこで、本実施形態においては、基部１ａとなる部分のみを相互に別体のダンボールプラスチック板１１で構成することにより、例えばボトム幅が異なる複数種類のベッド２において、基部１ａとなる部分のみをベッド２のボトム幅に合わせて取り替え、延出部１ｂ、上側平面部１ｃ及び下側平面部１ｄとなる部分については、全てのベッドに共用の部材とすることができる。即ち、基部１ａとなる面１１ａの幅を例えば上記ボトム幅の夫々に合わせて、例えば９００乃至９３０ｍｍ（ボトム幅：７８０ｍｍ）、９５０乃至９８０ｍｍ（ボトム幅：８３０ｍｍ）、１０３０乃至１０６０ｍｍ（ボトム幅：９１０ｍｍ）とする。
【００４４】
本実施形態においては、ボードカバー１の材質となるダンボールプラスチック板１１の一部を全てのベッド２に共用することにより、第１実施形態における効果に加えて、ボードカバー１の製造コストを低減することができる。
【００４５】
なお、本実施形態のボードカバー１においては、図５に示すように、延出部１ｂとなる部分は、面１１d、１１ｅにより構成され、上側平面部１ｃとなる部分は、面１１ｇにより構成され、下側平面部１ｄとなる部分は、面１１ｉにより構成される。また、接着面は面１１ｆ、１１ｈ、１１ｊにより構成される。本実施形態においては、基部１ａとなる面１１ａは、両側方に縁部を有するように構成されている。そこで、基部１ａとなる面１１ａの前記縁部に対し、面１１ｂ、１１ｃを谷折りし、接着面１１ｆを面１１ａの前記縁部に重ねて接着する。即ち、面１１ｆと面１１ｄとの境界線を、面１１ａの前記縁部の外側縁に一致させて、面１１ｆを面１１ａに接着する。そして、面１１ｆと面１１ｄとの境界を山折りし、面１１ｄと面１１ｅとの境界を谷折りする。更に、面１１ｇと面１１ｄとの境界を山折りして、面１１ｈと面１１ｇとの境界線を面１１ａの前記縁部の上縁に一致させ、面１１ｉと面１１ｄとの境界を山折りして、面１１ｊと面１１ｉとの境界線を面１１ａの前記縁部の前記縁部の下縁に一致させる。その後、面１１ｈと面１１ｇとを山折りし、面１１ｊと面１１ｉとを山折りして、接着面１１ｈと接着面１１ｊを面１１ａの前記縁部に接着する。また、面１１ｄと面１１ｅとを接着する。これにより、第１実施形態と同様に、本第２実施形態のボードカバーも、全面がその厚さ方向に２枚のダンボールプラスチックが重ねられた構造になる。
【符号の説明】
【００４６】
１：（ベッド用）ボードカバー、１ａ：基部、１ｂ：延出部、１ｃ：上側平面部、１ｄ：下側平面部、１ｅ：紐、１０，１１：ダンボールプラスチック板、１００：合わせ目、２：ベッド、２０：フレーム、２１：（ヘッド）ボード、２２：（フット）ボード、２１０，２１１，２１２：ボード（ヘッドボード又はフットボード）、２１ａ：溝、２３：側柵、３，３１，３２：スペーサ、３１ａ：嵌合部、３１ｂ：突出部
【図１】
0005566249.tif 000002
【図２】
0005566249.tif 000003
【図３】
0005566249.tif 000004
【図４】
0005566249.tif 000005
【図５】
0005566249.tif 000006
【図６】
0005566249.tif 000007
【図７】
0005566249.tif 000008
【図８】
0005566249.tif 000009